(57)【特許請求の範囲】
【請求項１】
Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）と通信するユーザ機器（ＵＥ）であって、
無線通信機と、
前記無線通信機に連結されたプロセッサと、を備え、前記プロセッサは、
前記無線通信機を介して信号を受信することであって、前記信号が第１の物理下りリンク制御チャネル（ＰＤＣＣＨ）および第２のＰＤＣＣＨを含み、前記第１のＰＤＣＣＨおよび前記第２のＰＤＣＣＨが同じ周波数−時間リソースを占有する、受信することと、
前記第２のＰＤＣＣＨを復号することと、
前記復号された第２のＰＤＣＣＨを使用して、前記信号に対して干渉キャンセルを実行することと、
前記第１のＰＤＣＣＨを復号することと、を行い、
前記第２のＰＤＣＣＨに対する前記第１のＰＤＣＣＨのリソースマップ内の開始位置が、前記第２のＰＤＣＣＨのゼロ位置および中間点からなる群から選択され、
前記プロセッサは、前記第２のＰＤＣＣＨの復号を試みたときに獲得される、前記第２のＰＤＣＣＨのリソースマップ内の開始位置を含む情報を、内部メモリに記憶する、ＵＥ。
【請求項２】
前記プロセッサが、前記信号に対してシンボルレベルの干渉キャンセルを実行する、請求項１に記載のＵＥ。
【請求項３】
前記プロセッサが、前記プロセッサが前記第２のＰＤＣＣＨを復号する前に、レガシー手順に従って前記信号を復号することを試み、
前記レガシー手順は、ＬＴＥのリリース８またはリリース９に従う、請求項１または２に記載のＵＥ。
【請求項４】
前記第２のＰＤＣＣＨのアグリゲーションレベルが、前記第１のＰＤＣＣＨのアグリゲーションレベルと等しいか、またはその２倍の大きさである、請求項１から３のいずれか一項に記載のＵＥ。
【請求項５】
前記信号が、前記第１のＰＤＣＣＨの第１のシンボルのセットと前記第２のＰＤＣＣＨの第２のシンボルのセットとを含み、前記第１のシンボルのセットおよび前記第２のシンボルのセットは第１の変調技術を用いて変調され、前記第１のシンボルのセットはコンスタレーションプロット上で第１の位置を占有し、前記第２のシンボルのセットはコンスタレーションプロット上で第２の位置を占有する、請求項１から４のいずれか一項に記載のＵＥ。
【請求項６】
前記プロセッサがさらに、前記信号が前記第２のＰＤＣＣＨを含むことを示す無線リソース制御（ＲＲＣ）メッセージを最初に受信する、請求項１から５のいずれか一項に記載のＵＥ。
【請求項７】
前記第１のＰＤＣＣＨが第１のＥ−ＵＴＲＡＮ  Ｎｏｄｅ  Ｂ（ｅＮＢ）からのものであり、前記第２のＰＤＣＣＨが第２のｅＮＢからのものである、請求項１から６のいずれか一項に記載のＵＥ。
【請求項８】
重畳符号化された制御情報を復号するための方法であって、
通信デバイスを使用して、関連制御情報が存在するかどうかを決定するために無線伝送をブラインド復号することと、
前記通信デバイスを使用して、前記無線伝送内の別の通信デバイス向けの制御情報をキャンセルすることと、
前記通信デバイスを使用して、前記無線伝送からの前記通信デバイス向けの制御情報を復号することと、を含み、
前記別の通信デバイス向けの前記制御情報は第１の物理下りリンク制御チャネル（ＰＤＣＣＨ）を含み、前記通信デバイス向けの前記制御情報は第２のＰＤＣＣＨを含み、
前記第２のＰＤＣＣＨに対する前記第１のＰＤＣＣＨのリソースマップ内の開始位置が、前記第２のＰＤＣＣＨのゼロ位置および中間点からなる群から選択され、
前記第２のＰＤＣＣＨの復号を試みたときに獲得される、前記第２のＰＤＣＣＨのリソースマップ内の開始位置を含む情報を記憶することを更に含む、方法。
【請求項９】
制御情報をキャンセルすることが、前記別の通信デバイス向けの前記制御情報を最初に復調することを含む、請求項８に記載の方法。
【請求項１０】
制御情報をキャンセルすることが、前記無線伝送からの前記制御情報の変調をキャンセルすることを含む、請求項８または９に記載の方法。
【請求項１１】
前記別の通信デバイス向けの前記制御情報のサイズが、前記通信デバイス向けの前記制御情報のサイズよりも大きいか、またはそれと等しい、請求項８から１０のいずれか一項に記載の方法。
【請求項１２】
前記通信デバイス向けの前記制御情報の符号化率が、前記通信デバイス向けの前記制御情報のレガシー符号化率よりも高く、
前記レガシー符号化率は、ＬＴＥのリリース８またはリリース９に従う、請求項８から１１のいずれか一項に記載の方法。
【請求項１３】
追加の符号化情報を検索することを示すメッセージを最初に受信することをさらに含む、請求項８から１２のいずれか一項に記載の方法。
【請求項１４】
前記メッセージを最初に受信することが、上位層シグナリングを介して前記メッセージを受信することを含む、請求項１３に記載の方法。
【請求項１５】
基本制御情報および付加制御情報を含む信号を受信し、
前記信号から前記基本制御情報を復号することにより、前記基本制御情報をキャンセルし、
前記付加制御情報を復号する回路を備え、
前記回路が、リソースマップ内の前記付加制御情報の開始位置を決定し、前記付加制御情報の前記開始位置が、既定の一連の場所から選択され、
前記既定の一連の場所が、前記基本制御情報の開始位置、および前記基本制御情報の長さの１／２のｎ乗倍の倍数だけ前記基本制御情報の前記開始位置とは異なる場所からなり、ｎは０以上３以下の数字であり、
前記回路は、前記基本制御情報の前記開始位置および前記基本制御情報の前記長さを、内部メモリに記憶する、無線通信デバイス。
【請求項１６】
前記回路が、他のデバイス向けのブロックを含む複数の付加制御情報ブロックから前記付加制御情報を選択する、請求項１５に記載の無線通信デバイス。
【請求項１７】
前記信号が、前記基本制御情報を含む第１の信号および前記付加制御情報を含む第２の信号を含み、前記第１の信号が第１の基地局から受信され、前記第２の信号が第２の基地局から受信される、請求項１５または１６に記載の無線通信デバイス。
【請求項１８】
前記基本制御情報の電力と前記付加制御情報の電力との間の電力比が既定値である、請求項１５から１７のいずれか一項に記載の無線通信デバイス。
【発明の詳細な説明】
【技術分野】
【０００１】
本開示は、構造化された重畳符号化を利用して制御チャネルの容量を向上するためのシステム、方法、およびデバイスに関する。
【図面の簡単な説明】
【０００２】
【図１】複数のＵＥと通信可能に連結されたｅＮＢを含むシステムの概略図である。
【０００３】
【図２】同じ周波数−時間リソース内の基本ＰＤＣＣＨおよび付加ＰＤＣＣＨの複数の構成の概略図である。
【０００４】
【図３】基本ＰＤＣＣＨおよび付加ＰＤＣＣＨの変調を示すコンスタレーションプロットである。
【０００５】
【図４】マクロｅＮＢおよびスモールｅＮＢからＰＤＣＣＨを受信するように構成され得るＵＥの概略図である。
【０００６】
【図５】ＰＤＣＣＨを受信する第２のＵＥの制御チャネル速度とＰＤＣＣＨを受信する第１のＵＥの制御チャネル速度との間のトレードオフを比較するプロットである。
【０００７】
【図６】重畳符号化された制御情報を復号するための方法のフロー図である。
【０００８】
【図７】重畳符号化された制御情報を復号することが可能なＵＥの概略図である。
【発明を実施するための形態】
【０００９】
無線モバイル通信技術は、基地局と無線通信デバイスとの間でデータを伝送するために様々な規格およびプロトコルを使用する。無線通信システム規格およびプロトコルは、例えば、３ＧＰＰ（第三世代パートナーシッププロジェクト、３ｒｄ  Ｇｅｎｅｒａｔｉｏｎ  Ｐａｒｔｎｅｒｓｈｉｐ  Ｐｒｏｊｅｃｔ）ＬＴＥ（ロングタームエボリューション、Ｌｏｎｇ  Ｔｅｒｍ  Ｅｖｏｌｕｔｉｏｎ）、業界団体にはＷｉＭＡＸ（ワイマックス、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）の通称で知られるＩＥＥＥ（電気電子学会、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６規格、および業界団体にはＷｉ−Ｆｉの通称で知られるＩＥＥＥ８０２．１１規格を含み得る。ＬＴＥシステム内の３ＧＰＰ  ＲＡＮ（無線アクセスネットワーク、Ｒａｄｉｏ  Ａｃｃｅｓｓ  Ｎｅｔｗｏｒｋ）では、基地局は、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）Ｎｏｄｅ  Ｂ（ｅｖｏｌｖｅｄ  Ｎｏｄｅ  Ｂ、ｅｎｈａｎｃｅｄ  Ｎｏｄｅ  Ｂ、ｅＮｏｄｅＢ、またはｅＮＢともよく称される）、および／またはＥ−ＵＴＲＡＮ内にユーザ機器（ＵＥ）として知られる無線通信デバイスと通信するＲＮＣ（無線ネットワーク制御装置、Ｒａｄｉｏ  Ｎｅｔｗｏｒｋ  Ｃｏｎｔｒｏｌｌｅｒ）を含み得る。ＬＴＥネットワークでは、Ｅ−ＵＴＲＡＮは、複数のｅＮｏｄｅＢを含み得、複数のＵＥと通信し得る。ＥＰＣ（発展型パケットコア、Ｅｖｏｌｖｅｄ  Ｐａｃｋｅｔ  Ｃｏｒｅ）は、Ｅ−ＵＴＲＡＮをインターネットなどの外部ネットワークに通信可能に連結し得る。
【００１０】
ＬＴＥネットワークは、高データレート、低レイテンシ、パケット最適化、ならびに改善されたシステム容量およびカバレッジを提供する無線アクセス技術およびコア無線ネットワークアーキテクチャを含む。ＬＴＥネットワークでは、ｅＮＢは、制御情報をｅＮＢに連結された１つ以上のＵＥに伝達し得る。ｅＮＢは、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）などの制御情報をＵＥに伝送し得る。ＰＤＣＣＨは、ｅＮＢとＵＥとの下層連結（例えば、物理層）を管理し得る。ＰＤＣＣＨの情報帯域幅は、既定の閾値に限定され得る。例えば、ＰＤＣＣＨは、サブフレーム内の最初の２〜４個のシンボルに制限され得る。より高度な動作モードおよび構成がＬＴＥに追加されると（例えば、ＣｏＭＰ（Ｃｏｏｒｄｉｎａｔｅｄ  Ｍｕｌｔｉ−Ｐｏｉｎｔ）、キャリアアグリゲーション（ＣＡ：Ｃａｒｒｉｅｒ  Ａｇｇｒｅｇａｔｉｏｎ）など）、制御チャネルは、必要とされる追加のシグナリングに対処するためにより大きい容量を必要とする。将来より多くの機能が追加される場合、制御チャネルリソースはより多く必要とされ得る。したがって、ＰＤＣＣＨにおける追加容量が必要とされる。
【００１１】
ｅＮＢは、ＰＤＣＣＨの容量を増大するために（例えば、重畳符号化を使用して）基本または弱ＰＤＣＣＨに加えて付加ＰＤＣＣＨを伝送し得る。付加ＰＤＣＣＨは、基本ＰＤＣＣＨと同じ周波数−時間リソースを使用して（例えば、同じサブフレーム上および／または同じ周波数で）伝送され得る。ある実施形態において、付加ＰＤＣＣＨは、ｅＮＢ近くの第１のＵＥ向けであり得、基本ＰＤＣＣＨは、ｅＮＢから遠く離れた第２のＵＥ向けであり得る。代替的に、基本および付加ＰＤＣＣＨは両方とも、同じＵＥ向けであり得る。第２のＵＥは、基本ＰＤＣＣＨを通常に復号することが可能であり得る。したがって、基本ＰＤＣＣＨは、付加ＰＤＣＣＨを復号することができないレガシーＵＥに送信され得、レガシーＵＥに対する修正は、それらが基本ＰＤＣＣＨを受信し続けるのに必要とされない場合がある。付加ＰＤＣＣＨの伝送の電力は、第２のＵＥが基本ＰＤＣＣＨを復号する能力に対して小さい影響のみを有するように選択され得る。
【００１２】
第１のＵＥは、第１のＵＥが付加ＰＤＣＣＨを検索すべきであることを示すメッセージをｅＮＢから受信し得る。このメッセージは、上位層シグナリングを介して送信され得る（例えば、無線リソース制御（ＲＲＣ）メッセージ）。第１のＵＥが付加ＰＤＣＣＨの検索を有効にし、ｅＮＢによって伝送される信号を受信すると、第１のＵＥは、付加ＰＤＣＣＨの検索が有効化されなかったかのように、第１のＵＥ向けの基本ＰＤＣＣＨを復号することを試み得る。第１のＵＥは、可能性のあるすべてのレガシーＰＤＣＣＨの場所をブラインド復号し得る（例えば、ＬＴＥのリリース８／９の場合、最大で４４箇所の復号）。第１のＵＥが、第１のＵＥ向けのいかなる基本ＰＤＣＣＨも見つけなかった場合、それは、任意の付加ＰＤＣＣＨが第１のＵＥ向けであるかどうかを決定するために付加ＰＤＣＣＨを復号することを試み得る。第１のＵＥは、第２のＵＥ向けの基本ＰＤＣＣＨを復調および／または復号し得る。第１のＵＥは、干渉キャンセル（ＩＣ）を使用して、基本ＰＤＣＣＨをキャンセルし得る。ＩＣは、シンボルレベルおよび／またはコードワードレベルのＩＣであり得る。次いで、第１のＵＥは、付加ＰＤＣＣＨを復号し得る。第１のＵＥは、付加ＰＤＣＣＨの位置を特定し、それを復号するためにブラインド復号を実行し得る。ある実施形態において、基本および付加ＰＤＣＣＨは両方とも第１のＵＥ向けであり得るため、第１のＵＥは、基本ＰＤＣＣＨを復号し得、かつ常に付加ＰＤＣＣＨを検索し得る。代替的に、ＵＥがそのＵＥ向けの基本ＰＤＣＣＨを復号した場合、第１のＵＥは、付加ＰＤＣＣＨを復号することを試みる前に既定の基準が満たされているかどうか（例えば、第１のＵＥがそうすべきであるとｅＮＢが示したかどうか、基本ＰＤＣＣＨが完了したかどうかなど）を決定し得る。
【００１３】
ブラインド復号を単純化するため、付加ＰＤＣＣＨは、既定の一連の場所および／またはサイズに制限され得る（例えば、既定の基準を満たすアグリゲーションレベルに制限される）。例えば、付加ＰＤＣＣＨは、基本ＰＤＣＣＨの長さ以下であることが求められ得る。付加ＰＤＣＣＨは、リソースマップ内の開始位置を基本ＰＤＣＣＨと同じ場所に、および／または基本ＰＤＣＣＨの中間点に有することが求められ得る。代替的に、または加えて、基本ＰＤＣＣＨは、基本ＰＤＣＣＨの開始位置、または基本ＰＤＣＣＨの長さの１／２＾ｎ倍の倍数だけ基本ＰＤＣＣＨの開始位置とは異なる場所で開始することが求められ得る。いくつかの実施形態において、ｎは、０、１、２、もしくは３から選択される既定値であるか、および／またはｅＮＢによりＵＥに示され得る。付加ＰＤＣＣＨの位置は、既定されている場合があり、かつ上位層シグナリングによって伝達され得、および／またはブラインド復号が、付加ＰＤＣＣＨが開始し得るすべての可能性のある場所を検索するために使用され得る。付加ＰＤＣＣＨおよび／または基本ＰＤＣＣＨのアグリゲーションレベルは、特定の値に制限され得る。例えば、付加ＰＤＣＣＨのアグリゲーションレベルは、基本ＰＤＣＣＨのアグリゲーションレベル以下であることが求められ得る。付加ＰＤＣＣＨのアグリゲーションレベルは、付加ＰＤＣＣＨを基本ＰＤＣＣＨとして伝送させた場合に有するであろうものよりも高い場合があり得、その結果、より高い符号化率が付加ＰＤＣＣＨのコンテンツに使用され得る。例えば、基本ＰＤＣＣＨであった場合に１または２のアグリゲーションレベルを有するであろう付加ＰＤＣＣＨは、４のアグリゲーションレベルを代わりに有し得る。
【００１４】
第１のＵＥは、第２のＵＥよりも高レベルの変調をサポートすることが可能であり得る。例えば、第１のＵＥは、１６ＱＡＭ（直角位相振幅変調、Ｑｕａｄｒａｔｕｒｅ  Ａｍｐｌｉｔｕｄｅ  Ｍｏｄｕｌａｔｉｏｎ）または６４ＱＡＭをサポートすることが可能であり得る。基本ＰＤＣＣＨは、４位相偏移変調（ＱＰＳＫ：Ｑｕａｄｒａｔｕｒｅ  Ｐｈａｓｅ−Ｓｈｉｆｔ  Ｋｅｙｉｎｇ）を使用して伝送され得、基本ＰＤＣＣＨが４つすべての象限を占有するコンスタレーションプロット上で、付加ＰＤＣＣＨが単一の象限のみを占有するように、付加ＰＤＣＣＨはＱＰＳＫを使用して伝送され得る。故に、組み合わせた変調は、第１のＵＥの観点からすると１６ＱＡＭと類似し得る。基本および付加ＰＤＣＣＨを伝送するため、ｅＮＢは、その伝送電力を２部に分割し（例えば、部ｐ１および部ｐ２）、一方の部を使用して基本ＰＤＣＣＨを、および他方で付加ＰＤＣＣＨを伝送し得る。ｅＮＢは、２部間の電力比が選択された値と等しくなるように、および／または既定の基準を満たすように伝送電力の各部の電力を選択し得る。各部の電力は、第２のＵＥが、付加ＰＤＣＣＨをノイズとして処理することにより基本ＰＤＣＣＨを復号することができるように、および第１のＵＥが、変調レベルで基本ＰＤＣＣＨを最初に復号し、それをキャンセルすることにより（例えば、シンボルレベルのＩＣを使用して）付加ＰＤＣＣＨを復号することができるように、選択され得る。いくつかの実施形態において、電力比は、事前定義されるか、既定されるか、および／またはＵＥによる復号を単純化し得る上位層シグナリング（例えば、ＲＲＣメッセージング）を介して準統計的に決定され得る。
【００１５】
ＵＥは、基本ＰＤＣＣＨを伝送するｅＮＢ以外のｅＮＢから付加ＰＤＣＣＨを受信することが可能であり得る。例えば、異種ネットワーク内のＡＢＳ（Ａｌｍｏｓｔ  Ｂｌａｎｋ  Ｓｕｂｒａｍｅｓ）よりもむしろ、基本および付加ＰＤＣＣＨが送信され得る。ある実施形態において、第１のｅＮＢは、高電力ｅＮＢ（例えば、マクロｅＮＢ）であり得、第２のｅＮＢは、低電力ｅＮＢ（例えば、マイクロｅＮＢ、ピコｅＮＢ、フェムトｅＮＢなど）であり得る。いくつかの状況において、高電力ｅＮＢからの受信電力は、ＵＥが高電力ｅＮＢに対してよりも低電力ｅＮＢに対して近いときでさえ、低電力ｅＮＢからの受信電力よりもかなりのｄＢで高い場合がある。第１のｅＮＢが付加ＰＤＣＣＨを伝送し得、第２のｅＮＢが基本ＰＤＣＣＨを伝送し得るか、またはその逆である。基本ＰＤＣＣＨは、付加ＰＤＣＣＨとは異なるｅＮＢ向けであり得るか、または基本および付加ＰＤＣＣＨは、同じｅＮＢ向けであり得る。ＵＥは、前と同じように基本および付加ＰＤＣＣＨを復号し得る。まず、ＵＥは、基本ＰＤＣＣＨを復号し得、次いでそれは、基本ＰＤＣＣＨをキャンセルし得、最後にそれは、付加ＰＤＣＣＨを復号し得る。ＰＤＣＣＨを２つのｅＮＢから伝送することにはいくつかの利点があり得る。スペクトルは、ＡＢＳが使用される場合よりもより効率的に使用され得、付加制御チャネルがＵＥに提供され得、またＣｏＭＰが使用され、かつマクロＵＥがより多くの制御および調整を提供するとき、付加制御チャネルは協調を必然的に促進し得る。
【００１６】
複数の付加ＰＤＣＣＨ（例えば、複数の追加のＵＥのため）が、基本ＰＤＣＣＨと同じ周波数−時間リソース内に含まれ得る。例えば、第１の付加ＰＤＣＣＨのアグリゲーションレベルが、基本ＰＤＣＣＨのアグリゲーションレベルの半分である場合、同様に基本ＰＤＣＣＨのアグリゲーションレベルの半分である第２の付加ＰＤＣＣＨもまた含まれ得る。付加ＰＤＣＣＨのうちの一方は、基本ＰＤＣＣＨの開始位置と一致する開始位置を有し得、他方の付加ＰＤＣＣＨは、基本ＰＤＣＣＨの中間点と一致する開始位置を有し得る。付加ＰＤＣＣＨのアグリゲーションレベルが、基本ＰＤＣＣＨに対してさらに小さい場合（例えば、４分の１または８分の１のＰＤＣＣＨ）、追加の付加ＰＤＣＣＨ（例えば、他のＵＥのため）が伝送され得るか、および／または追加の開始位置が使用され得る。
【００１７】
図１は、複数のＵＥ１２０、１３０と通信可能に連結されたｅＮＢ１１０を含むシステム１００の概略図である。第１のＵＥ１２０は、ｅＮＢ１１０のより近くにあり得るため、強い信号を受信し得る。第２のＵＥ１３０は、ｅＮＢ１１０からより離れたところにあり得るため、より弱い信号を受信し得る。ｅＮＢ１１０は、信号強度の違いを活用して、基本ＰＤＣＣＨを第２のＵＥ１３０に、また付加ＰＤＣＣＨを第１のＵＥ１２０に提供し得る。代替的に、第１および第２のＵＥ１２０、１３０は、両方ともｅＮＢ１１０の近くにあり、基本ＰＤＣＣＨおよび付加ＰＤＣＣＨを受信し得る。基本および付加ＰＤＣＣＨは、同じ周波数−時間リソース上で伝送され得る。付加ＰＤＣＣＨは、第２のＵＥ１３０にとってはノイズであるようにみなされ得るが、それにもかかわらず、第２のＵＥ１３０は、基本ＰＤＣＣＨと付加ＰＤＣＣＨとの間の伝送電力の違いに起因して、基本ＰＤＣＣＨを復号することが可能であり得る。第１のＵＥ１２０は、基本ＰＤＣＣＨおよび付加ＰＤＣＣＨを復号することが可能であり得る。第１のＵＥ１２０は、基本ＰＤＣＣＨを復号し得る。それは、復号された情報を使用して、信号からの基本ＰＤＣＣＨをキャンセルし得る。第１のＵＥ１２０は、キャンセルされた基本ＰＤＣＣＨを有する信号から付加ＰＤＣＣＨを復号し得る。したがって、ｅＮＢ１１０は、それが基本ＰＤＣＣＨを第２のＵＥ１３０にただ送信した場合よりも効率的に帯域幅を使用することが可能であり得る。
【００１８】
図２は、同じ周波数−時間リソース内の基本ＰＤＣＣＨ２１１、２２１、および付加ＰＤＣＣＨ２１２、２２２の複数の構成２１０、２２０の概略図である。基本ＰＤＣＣＨ２１１、２２１はそれぞれ、１つ以上の制御チャネル要素（ＣＣＥ）を含み得る。各基本ＰＤＣＣＨ２１１、２２１によって使用されるＣＣＥの数が、そのＰＤＣＣＨのアグリゲーションレベルであり得る。ある実施形態において、基本ＰＤＣＣＨは、１、２、４、または８のアグリゲーションレベルを有し得、対応する数のＣＣＥを含み得る。例証された実施形態において、付加ＰＤＣＣＨ２１２、２２２のそれぞれは、対応する基本ＰＤＣＣＨ２１１、２２１のサイズ以下（例えば、２分の１、４分の１、８分の１など）のサイズ（例えば、あるアグリゲーションレベルを有する）に制限され得る。いくつかの実施形態において、付加ＰＤＣＣＨ２１２、２２２は、基本ＰＤＣＣＨ２１１、２２１のサイズと等しいか、その半分以上か、またはその４分の１以上に制限され得る。
【００１９】
基本ＰＤＣＣＨ２１１、２２１に対する付加ＰＤＣＣＨ２１２、２２２の位置もまた、既定の位置に制限され得る。例えば、各ＣＣＥが論理インデックスにより識別され得、基本ＰＤＣＣＨ２１１、２２１は、特定のインデックス（例えば、ゼロ位置または基本ＰＤＣＣＨの開始位置）で開始し得る。付加ＰＤＣＣＨ２１２、２２２は、第２の構成２２０に見られるように、基本ＰＤＣＣＨ２２１の開始位置に制限され得るか（例えば、それらのサイズが等しい場合）、または第１の構成２１０に見られるように、基本ＰＤＣＣＨ２１１の開始位置もしくは中間点に制限され得る（例えば、付加ＰＤＣＣＨ２１２の大きさが基本ＰＤＣＣＨ２１１の半分であるか、それより小さい場合）。中間点は、ＰＤＣＣＨの半分のサイズだけ開始位置と異なる論理インデックスを有するＣＣＥであり得る。他の実施形態または構成において、付加ＰＤＣＣＨ２１２、２２２の開始位置は、対応する基本ＰＤＣＣＨ２１１、２２１のサイズの４分の１または８分の１の整数倍だけ対応する基本ＰＤＣＣＨ２１１、２２１の開始位置と異なり得る。付加ＰＤＣＣＨ２１２、２２２の位置が特定の場所に限定され得るため、付加ＰＤＣＣＨ２１２、２２２の位置を特定するために必要とされ得る検索はより少なくなり得、それが電力を節約し得る。
【００２０】
図３は、基本ＰＤＣＣＨ３１０および付加ＰＤＣＣＨ３２０の変調を示すコンスタレーションプロット３００である。基本および付加ＰＤＣＣＨはそれぞれ、ＱＰＳＫを使用して変調され得るが、付加ＰＤＣＣＨは、１６ＱＡＭなどのより高い変調レベルをサポートすることが可能であり得る。ｅＮＢは、その伝送電力を２部に分割し得る。第１の部は、基本ＰＤＣＣＨ３１０を伝送するために使用され得、第２の部は、付加ＰＤＣＣＨ３２０を伝送するために使用され得る。電力レベルおよび変調は、例証されるものと同様のコンスタレーションを生成するように構成され得る。例証されたコンスタレーションプロットでは、基本ＰＤＣＣＨは、それぞれがコンスタレーションプロットの固有の象限を占有する４個のシンボルを含み（例えば、すべての象限が占有される）、付加ＰＤＣＣＨは、コンスタレーションプロットの第１の象限のみを占有する。他の実施形態において、コンスタレーションは、付加ＰＤＣＣＨが別の象限を占有するか、および／または複数の象限を占有する、対称プロットを生成し得る。付加ＰＤＣＣＨ３２０のシンボルの場所は、１６ＱＡＭの伝送によって生成されるシンボルの場所と同様であり得る。
【００２１】
第１の電力と第２の部の電力との電力比は、既定の基準を満たすように選択され得る。既定の基準は、第２のＵＥが付加ＰＤＣＣＨ３２０をノイズとして処理することにより基本ＰＤＣＣＨ３１０を復号することができること、および第２のＵＥが変調レベルで（例えば、シンボルレベルで）基本ＰＤＣＣＨ３１０をまずキャンセルすることにより付加ＰＤＣＣＨ３２０を復号することができることを含み得る。いくつかの実施形態において、電力比は、事前定義されたおよび／または既定の値であり得る。代替的に、または加えて、電力比は、上位層シグナリング（例えば、ＲＲＣメッセージング）によって準統計的におよび／または動的に決定され得る。
【００２２】
図４は、マクロｅＮＢ４１０およびスモールｅＮＢ４２０（例えば、マイクロ、ピコ、またはフェムトセル）からＰＤＣＣＨを受信するように構成され得るＵＥ４３０の概略図である。ＵＥ４３０は、セル内ＰＤＣＣＨ（例えば、容量を増大させるため、および／またはＰＤＣＣＨを複数のＵＥに伝送するため）、およびセル間ＰＤＣＣＨ（例えば、容量を増大させるため、および／または複数のｅＮＢがＰＤＣＣＨを単一のＵＥに提供することを可能にするため）を受信することが可能であり得る。セル間ＰＤＣＣＨは、ＡＢＳが使用される状況において使用され得る。マクロおよびスモールセルの信号強度の違いは、付加ＰＤＣＣＨおよび基本ＰＤＣＣＨをＵＥ４３０に提供するために利用され得る。スモールセルの範囲拡張の結果として、ＵＥ４３０は、スモールｅＮＢ４２０に連結されているにもかかわらず、スモールｅＮＢ４２０よりもマクロｅＮＢ４１０からより強い信号を受信している場合がある。代替的に、より強い信号がスモールｅＮＢ４２０から受信され得るか、および／または信号の強度は、ほぼ等しい場合がある。
【００２３】
マクロｅＮＢ４１０またはスモールｅＮＢ４２０のいずれかが、時間−周波数リソースを使用して基本ＰＤＣＣＨをＵＥ４３０へ伝送し、マクロｅＮＢ４１０およびスモールｅＮＢ４２０のうちのもう一方が、同じ時間−周波数リソースを使用して付加ＰＤＣＣＨをＵＥ４３０へ伝送し得る。ＵＥ４３０は、シングルセルの場合のように基本および付加ＰＤＣＣＨを復号し得る。ＵＥ４３０は、基本ＰＤＣＣＨを最初に復号し得る。ＵＥ４３０は、復号された基本ＰＤＣＣＨを使用して、受信信号から基本ＰＤＣＣＨをキャンセルし得る。ＵＥ４３０は、信号からキャンセルされる基本ＰＤＣＣＨを有する信号から付加ＰＤＣＣＨを復号し得る。上層シグナリング（例えば、ＲＲＣメッセージング）は、ＵＥにそれが複数のｅＮＢからのＰＤＣＣＨを予期すべきであることを示すために使用され得る。いくつかの実施形態において、基本ＰＤＣＣＨおよび付加ＰＤＣＣＨは、同じＵＥ４３０ではなく異なるＵＥ向けであり得る。付加ＰＤＣＣＨは、制御チャネル容量を増大させ得るか、および／または付加制御チャネル情報をＵＥに提供し得る。代替的に、または加えて、ＣｏＭＰが使用されている場合、マクロｅＮＢ４１０は、追加の制御および調整を提供し得る。付加ＰＤＣＣＨは、追加の制御および調整情報をＵＥ４３０に提供するのに必要なリソースを提供し得る。さらには、ＵＥ４３０がマクロｅＮＢ４１０およびスモールｅＮＢ４２０からのＰＤＣＣＨの位置を特定するための検索スペースが減少され得る。
【００２４】
図５は、ＰＤＣＣＨを受信する第２のＵＥの制御チャネル速度とＰＤＣＣＨを受信する第１のＵＥの制御チャネル速度との間のトレードオフを比較するプロット５００である。プロット５００は、単入力単出力（ＳＩＳＯ）Ｇａｕｓｓｉａｎチャネルの速度を示し得る。ｙ軸は、第２のＵＥの制御チャネル速度を示し得、ｘ軸は、第１のＵＥの制御チャネル速度を表し得る。ブロードキャスト容量領域５５０は、情報をｅＮＢから第１および第２のＵＥへ伝送するときに達成可能な速度のすべての可能性のある組み合わせを含み得る。ブロードキャスト容量領域は、一対のＵＥにおいて達成可能な最大の可能性のある速度に対応する曲線によって仕切られ得る。いかなる付加ＰＤＣＣＨもなしに基本ＰＤＣＣＨのみが含まれる場合、第１のＵＥは、ゼロの速度を有し得、第２のＵＥはそれ自身のチャネル容量に対応する速度を有し得る。第１の点５１０は、基本ＰＤＣＣＨのみが使用されるときの第１および第２のＵＥの容量を表し得る。
【００２５】
第１の点５１０では、ブロードキャスト領域を仕切る曲線の傾斜は比較的平坦であり得る。第１のＵＥの速度は、第２のＵＥの速度における単に比較的に小さい低下の発生と共に増大し得る。第１のＵＥ向けの付加ＰＤＣＣＨは、低伝送電力で追加され得るため、第２のＵＥによる基本ＰＤＣＣＨの受信はわずかに悪化するだけである。したがって、重畳符号化が、曲線上の全容量速度を達成しつつ制御チャネル情報を第１および第２のＵＥの両方に伝送するために使用され得る。第２の点５２０は、第１のＵＥ向けの付加ＰＤＣＣＨが第２のＵＥ向けの基本ＰＤＣＣＨの伝送に含まれるとき、第１および第２のＵＥの速度に対応し得る。第２の点では、依然として妥当な速度で第２のＵＥに情報を提供しながら、実質的により高い速度が第１のＵＥにおいて達成されている。故に、基本ＰＤＣＣＨは、必要な場合に第２のＵＥに送信され得るが、スペクトルは、基本ＰＤＣＣＨのみを第２のＵＥに送信するのではなく付加ＰＤＣＣＨを含めることによってより効率的に使用され得る。
【００２６】
図６は、重畳符号化された制御情報を復号するための方法６００のフロー図である。方法６００は、制御情報を含む信号がｅＮＢから受信されるときに開始し得る。最初に、ＵＥは、例えば、基本ＰＤＣＣＨをブラインド復号することを試み得る６０２。ＵＥは、複数の場所のそれぞれにある基本ＰＤＣＣＨを復号して、ＰＤＣＣＨがそのＵＥ向けであるかどうかを決定し得る。ある実施形態において、最大４４の場所が存在し得、これらの場所において、ＵＥは基本ＰＤＣＣＨを検索する必要がある。ＵＥがそのＵＥ向けのＰＤＣＣＨを見つけた場合、方法６００は終了し得る。
【００２７】
ＵＥがそのＵＥ向けのＰＤＣＣＨを見つけなかった場合、それは代わりに、そのＵＥ向けの付加ＰＤＣＣＨの位置を特定することを試み得る。代替的に、または加えて、ＵＥは、たとえそれが基本ＰＤＣＣＨを見つけたとしても付加ＰＤＣＣＨを検索し得る。ＵＥは、別のＵＥ向けのＰＤＣＣＨの場所を決定し得る６０４。いくつかの実施形態において、付加ＰＤＣＣＨの可能性のある場所は基本ＰＤＣＣＨの開始位置（例えば、開始ＣＣＥインデックス）に基づいて限定され得るため、ＵＥは、他のＵＥ向けのＰＤＣＣＨの場所を知ることによってリソースを節約し得る。ある実施形態において、ＵＥは、ＵＥがそれ自身の基本ＰＤＣＣＨを復号することを試みた６０２ときに獲得されるＰＤＣＣＨに関する情報を記憶することにより、他のＵＥ用のＰＤＣＣＨの場所および／または長さを決定し得る６０４。他の実施形態において、ＵＥは、他のＵＥ用のＰＤＣＣＨの場所を決定する必要がない場合があるか、および／または他のＵＥ用のＰＤＣＣＨを復号６０６しながらそれを行い得る。
【００２８】
ＵＥは、他のＵＥ用の基本ＰＤＣＣＨを復号し得る６０６。ある実施形態において、ＵＥは、それがすべての可能性のある場所内の付加ＰＤＣＣＨをチェックすることができるように、すべての可能性のある場所内の基本ＰＤＣＣＨを復号し得る。ＵＥは、それがそれ自身のための基本ＰＤＣＣＨを復調する際に他のＵＥ用の基本ＰＤＣＣＨを復調することにより、他のＵＥ用の基本ＰＤＣＣＨを復号し得る。ＵＥは、復調のとき、単にシンボルを決定し得るか、および／または（例えば、ターボデコーダを使用して）エラー修正を実行し得る。
【００２９】
ＵＥは、信号から他のＵＥ用の復号されたＰＤＣＣＨをキャンセルし得る６０８。ＵＥは、復号されたＰＤＣＣＨを変調し得、変調されたＰＤＣＣＨに推定チャネル応答を適用し得る。ＵＥは、先に復調されたシンボルを変調し得るか、および／または修正された符号語を変調し得る。ＵＥは、変調およびチャネル推測の結果を信号から差し引いて、基本ＰＤＣＣＨからの干渉なしに付加ＰＤＣＣＨを含む信号を生成し得る。
【００３０】
ＵＥは、そのＵＥ向けの付加ＰＤＣＣＨを復号し得る６１０。ＵＥは、キャンセルされる基本ＰＤＣＣＨを有する信号を復調し得る。ＵＥは、基本ＰＤＣＣＨが一旦キャンセルされると、通常は信号を復調することが可能であり得る。ＵＥは、付加ＰＤＣＣＨが位置し得るすべての可能性のある場所で復号を実行し得る。いくつかの実施形態において、付加ＰＤＣＣＨは、基本ＰＤＣＣＨに対して特定の場所にあることが求められ得るため、ＵＥが付加ＰＤＣＣＨを検索する必要のある場所は限られた数であり得る。ＵＥがチェックされる場所のいずれかにおいて付加ＰＤＣＣＨを検出した場合、それは、付加ＰＤＣＣＨがそのＵＥ向けであるかどうかを決定し得る。付加ＰＤＣＣＨがそのＵＥ向けである場合、制御情報がＵＥによって処理され得、方法６００は終了され得る。要素を除去すること、要素を組み合わせること、および／または方法６００の１つ以上の要素を繰り返すことなど、方法６００に対して様々な変更がなされ得ることは明らかであろう。
【００３１】
図７は、ＵＥ、移動局（ＭＳ）、移動無線デバイス、移動通信デバイス、タブレット、ハンドセット、または他の種類の無線通信デバイスなど、モバイルデバイスの例図である。モバイルデバイスは、基地局（ＢＳ）、ｅＮＢ、ベースバンドユニット（ＢＢＵ）、リモート無線ヘッド（ＲＲＨ：Ｒｅｍｏｔｅ  Ｒａｄｉｏ  Ｈｅａｄ）、リモート無線設備（ＲＲＥ：Ｒｅｍｏｔｅ  Ｒａｄｉｏ  Ｅｑｕｉｐｍｅｎｔ）、中継局（ＲＳ）、無線設備（ＲＥ）、または別の種類の無線ワイドエリアネットワーク（ＷＷＡＮ）アクセス地点などの送信局と通信するように構成された１つ以上のアンテナを含み得る。モバイルデバイスは、３ＧＰＰ  ＬＴＥ、ＷｉＭＡＸ、高速パケットアクセス（ＨＳＰＡ）、Ｂｌｕｅｔｏｏｔｈ（登録商標）、およびＷｉ−Ｆｉを含む少なくとも１つの無線通信規格を使用して通信するように構成され得る。モバイルデバイスは、各無線通信規格に別個のアンテナを使用するか、または複数の無線通信規格に共通のアンテナを使用して通信し得る。モバイルデバイスは、無線ローカルエリアネットワーク（ＷＬＡＮ）、無線パーソナルエリアネットワーク（ＷＰＡＮ）、および／またはＷＷＡＮ内で通信し得る。
【００３２】
図７はまた、モバイルデバイスからの音声入力および出力のために使用され得るマイクおよび１つ以上のスピーカの図を提供する。表示画面は、液晶ディスプレイ（ＬＣＤ）画面、または有機発光ダイオード（ＯＬＥＤ）ディスプレイなどの他の種類の表示画面であり得る。表示画面は、タッチスクリーンとして構成され得る。タッチスクリーンは、静電容量式、抵抗膜式、または別の種類のタッチスクリーン技術を使用し得る。アプリケーションプロセッサおよびグラフィックプロセッサが、内部メモリに連結されて、プロセッシングおよびディスプレイ能力を提供し得る。ユーザにデータ入力／出力オプションを提供するために不揮発性メモリポートも使用され得る。不揮発性メモリポートはまた、モバイルデバイスのメモリ能力を拡張するために使用され得る。キーボードは、追加のユーザ入力を提供するために、モバイルデバイスと一体化され得るか、またはモバイルデバイスに無線接続され得る。バーチャルキーボードもタッチスクリーンを使用して提供され得る。
【実施例】
【００３３】
以下の実施例は、さらなる実施形態に関する。
【００３４】
実施例１は、Ｅ−ＵＴＲＡＮと通信するように構成されたＵＥである。ＵＥは、無線通信機を含む。ＵＥは、無線通信機を含む。ＵＥはまた、無線通信機に連結されたプロセッサを含む。プロセッサは、無線通信機を介して信号を受信するように構成されている。信号は、第１のＰＤＣＣＨおよび第２のＰＤＣＣＨを含む。第１および第２のＰＤＣＣＨは、同じ周波数−時間リソースを占有する。プロセッサはまた、第２のＰＤＣＣＨを復号するように構成されている。プロセッサはまた、復号された第２のＰＤＣＣＨを使用して、信号に対して干渉キャンセルを実行するように構成されている。プロセッサはまた、第１のＰＤＣＣＨを復号するように構成されている。
【００３５】
実施例２では、実施例１のプロセッサが、信号に対してシンボルレベルの干渉キャンセルを実行する。
【００３６】
実施例３では、実施例１〜２のいずれかのプロセッサが、プロセッサが第２のＰＤＣＣＨを復号する前に、レガシー手順に従って信号を復号することを試みる。
【００３７】
実施例４では、実施例１〜３のいずれかの第２のＰＤＣＣＨが、第１のＰＤＣＣＨのアグリゲーションレベルと等しいか、またはその２倍の大きさのアグリゲーションレベルを有する。
【００３８】
実施例５では、実施例１〜４のいずれかの第１のＰＤＣＣＨが、同様のスタンドアローンＰＤＣＣＨに使用されるであろうものよりも高いアグリゲーションレベルを有する。
【００３９】
実施例６では、実施例１〜５のいずれかのプロセッサが、信号が第２のＰＤＣＣＨを含むことを示すＲＲＣメッセージを最初に受信するようにさらに構成されている。
【００４０】
実施例７では、実施例１〜６のいずれかの第１のＰＤＣＣＨが、第１のｅＮＢからであり、第２のＰＤＣＣＨが第２のｅＮＢからである。
【００４１】
実施例８では、実施例１〜７のいずれかの第１のＰＤＣＣＨが、リソースマップ内の第２のＰＤＣＣＨに対して選択される開始位置を有する。開始位置は、第２のＰＤＣＣＨのゼロ位置および中間点からなる群から選択される。
【００４２】
実施例９は、重畳符号化された制御情報を復号するための方法である。本方法は、通信デバイスを使用して、関連制御情報が存在するかどうかを決定するために無線伝送をブラインド復号することを含む。本方法はまた、通信デバイスを使用して、無線伝送内の別の通信デバイス向けの制御情報をキャンセルすることを含む。本方法はまた、通信デバイスを使用して、無線伝送からのその通信デバイス向けの制御情報を復号することを含む。
【００４３】
実施例１０では、実施例９の制御情報をキャンセルすることが、他の通信デバイス向けの制御情報を最初に復調することを含む。
【００４４】
実施例１１では、実施例９〜１０のいずれかの制御情報をキャンセルすることが、無線伝送からの制御情報の変調をキャンセルすることを含む。
【００４５】
実施例１２では、実施例９〜１１のいずれかの他の通信デバイス向けの制御情報が、その通信デバイス向けの制御情報のサイズよりも大きいか、またはそれと等しいサイズを有する。
【００４６】
実施例１３では、実施例９〜１２のいずれかの通信デバイス向けの制御情報が、通信デバイス向けの制御情報のレガシー符号化率よりも高い符号化率を有する。
【００４７】
実施例１４では、実施例９〜１３のいずれかの方法はまた、追加の符号化情報を検索することを示すメッセージを最初に受信することを含む。
【００４８】
実施例１５では、実施例９〜１４のいずれかのメッセージを最初に受信することが、上位層シグナリングを介してメッセージを受信することを含む。
【００４９】
実施例１６は、無線通信デバイスである。本無線通信デバイスは、回路を含む。回路は、基本制御情報および付加制御情報を含む信号を受信するように構成されている。回路はまた、信号から基本制御情報をキャンセルするように構成されている。回路はまた、付加制御情報を復号するように構成されている。
【００５０】
実施例１７では、実施例１６の回路が、リソースマップ内の付加制御情報の開始位置を決定する。付加制御情報の開始位置は、既定の一連の場所から選択される。
【００５１】
実施例１８では、実施例１６〜１７のいずれかの既定の一連の場所が、基本制御情報のための開始位置、および基本制御情報の長さの１／２ｎ倍の倍数だけ基本制御情報の開始位置とは異なる場所を含むか、それらからなる。数字ｎは、０以上３以下である。
【００５２】
実施例１９では、実施例１６〜１８のいずれかの回路が、他のデバイス向けのブロックを含む複数の付加制御情報ブロックから付加制御情報を選択する。
【００５３】
実施例２０では、実施例１６〜１９のいずれかの回路が、基本制御情報を復号することにより基本制御情報をキャンセルする。
【００５４】
実施例２１では、実施例１６〜２０のいずれかの信号が、基本制御情報を含む第１の信号および付加制御情報を含む第２の信号を含む。第１の信号は、第１の基地局から受信され、第２の信号は、第２の基地局から受信される。
【００５５】
実施例２２では、実施例１６〜２１のいずれかの信号において、基本制御情報の電力と付加制御情報の電力との間の電力比が既定値である。
【００５６】
実施例２３は、重畳符号化された制御情報を復号するための方法である。本方法は、第１のＰＤＣＣＨおよび第２のＰＤＣＣＨを含む信号を受信することを含む。第１および第２のＰＤＣＣＨは、同じ周波数−時間リソースを占有する。本方法はまた、第２のＰＤＣＣＨを復号することを含む。本方法はまた、復号された第２のＰＤＣＣＨを使用して、信号に対して干渉キャンセルを実行することを含む。本方法はまた、第１のＰＤＣＣＨを復号することを含む。
【００５７】
実施例２４では、実施例２３の干渉キャンセルを実行することが、シンボルレベルの干渉キャンセルを実行することを含む。
【００５８】
実施例２５では、実施例２３〜２４のいずれかの方法が、第２のＰＤＣＣＨを復号する前に、レガシー手順に従って第１のＰＤＣＣＨを復号することを試みることを含む。
【００５９】
実施例２６では、実施例２３〜２５のいずれかの第２のＰＤＣＣＨが、第１のＰＤＣＣＨのアグリゲーションレベルと等しいか、またはその２倍の大きさのアグリゲーションレベルを有する。
【００６０】
実施例２７では、実施例２３〜２６のいずれかの第１のＰＤＣＣＨが、同様のスタンドアローンＰＤＣＣＨに使用されるであろうものよりも高いアグリゲーションレベルを有する。
【００６１】
実施例２８では、実施例２３〜２７のいずれかの方法が、信号が第２のＰＤＣＣＨを含むことを示すＲＲＣメッセージを最初に受信することを含む。
【００６２】
実施例２９では、実施例２３〜２８のいずれかの第１のＰＤＣＣＨが、第１のｅＮＢからであり、第２のＰＤＣＣＨが第２のｅＮＢからである。
【００６３】
実施例３０では、実施例２３〜２９のいずれかの第１のＰＤＣＣＨが、リソースマップ内の第２のＰＤＣＣＨに対して選択される開始位置を有する。開始位置は、第２のＰＤＣＣＨのゼロ位置および中間点からなる群から選択される。
【００６４】
実施例３１では、実施例２３〜３０のいずれかの方法が、他のＵＥ向けの付加ＰＤＣＣＨを含む複数の付加ＰＤＣＣＨから第１のＰＤＣＣＨを選択することを含む。
【００６５】
実施例３２では、実施例２３〜３１のいずれかの信号において、第２のＰＤＣＣＨの電力と第１のＰＤＣＣＨの電力との間の電力比が既定値である。
【００６６】
実施例３３では、実施例２３〜３２のいずれかの第２のＰＤＣＣＨを復号することが、複数の可能性のあるＰＤＣＣＨの場所をブラインド復号することを含む。
【００６７】
実施例３４では、実施例２３〜３３のいずれかの第１のＰＤＣＣＨを復号することが、干渉キャンセルを実行した後に、複数の可能性のあるＰＤＣＣＨの場所のうちの少なくとも２つをブラインド復号することを含む。
【００６８】
実施例３５では、実施例２３〜３４のいずれかの信号において、受信信号の品質が、第２のＰＤＣＣＨを変調するために使用されるものよりも高い変調レベルをサポートするのに十分である。
【００６９】
実施例３６は、任意の先行実施例において記載されるように、ある方法を実行するための手段を含む装置である。
【００７０】
実施例３７は、実行されると、任意の先行実施例に記載されるように、ある方法を実装するか、またはある装置を実現する機械可読命令を含む機械可読ストレージである。
【００７１】
様々な技術、または特定の態様もしくはそれらの部分は、フロッピー（登録商標）ディスケット、ＣＤ−ＲＯＭ、ハードドライブ、非一時的コンピュータ可読記憶媒体、または任意の他の機械可読記憶媒体などの有形媒体内に埋め込まれたプログラムコード（即ち、命令）の形態を取り得、ここでは、プログラムコードがコンピュータなどの機械にロードされ、それにより実行されるとき、その機械は様々な技術を実践する装置となる。プログラム可能なコンピュータ上でのプログラムコードの実行の場合、コンピューティングデバイスは、プロセッサ、プロセッサによる読み込みが可能な記憶媒体（揮発性および不揮発性メモリならびに／または記憶装置要素を含む）、少なくとも１つの入力デバイス、および少なくとも１つの出力デバイスを含み得る。揮発性および不揮発性メモリならびに／または記憶装置要素は、ＲＡＭ、ＥＰＲＯＭ、フラッシュドライブ、光学ドライブ、磁気ハードドライブ、または電子データを格納するための別の媒体であり得る。ｅＮＢ（または他の基地局）およびＵＥ（または他のモバイルステーション）はまた、無線通信機コンポーネント、カウンタコンポーネント、プロセッシングコンポーネント、および／または時計コンポーネントもしくはタイマーコンポーネントを含み得る。本明細書に記載される様々な技術を実装または利用し得る１つ以上のプログラムは、アプリケーションプログラミングインターフェース（ＡＰＩ）、再使用可能制御などを使用し得る。そのようなプログラムは、コンピュータシステムと通信するために、高水準手続き型またはオブジェクト指向のプログラミング言語で実装され得る。しかしながら、本プログラム（複数可）は、所望の場合、アセンブリ言語または機械語で実装され得る。いずれの場合においても、言語は、コンパイラ型言語またはインタープリタ言語であり得、ハードウェア実装と組み合わされ得る。
【００７２】
本明細書に記載される機能ユニットの多くは、１つ以上のコンポーネント（それらの実装独立性を特に強調するために使用される用語）として実装され得ることを理解されたい。例えば、あるコンポーネントは、カスタム超大規模集積（ＶＬＳＩ）回路もしくはゲートアレイ、論理チップなどの既製の半導体、トランジスタ、または他の個別のコンポーネントを含むハードウェア回路として実装され得る。あるコンポーネントはまた、フィールドプログラマブルゲートアレイなどのプログラム可能ハードウェアデバイス、プログラム可能アレイ論理、プログラム可能論理デバイスなどに実装され得る。
【００７３】
コンポーネントはまた、様々な種類のプロセッサによる実行のためのソフトウェアに実装され得る。実行可能なコードの識別されたコンポーネントは、例えば、コンピュータ命令の１つ以上の物理または論理ブロックを含み、それは、例えば、オブジェクト、手順、または機能として構造化され得る。それにもかかわらず、識別されたコンポーネントの実行ファイルは、物理的に一緒に位置する必要はないが、論理的に結び付けられたとき、そのコンポーネントを含み、そのコンポーネントの記述された目的を達成する、異なる場所に格納された完全に異なる命令を含み得る。
【００７４】
実際、実行可能コードのコンポーネントは、単一命令、または多重命令であり得、さらには、いくつかの異なるコードセグメントにわたって、異なるプログラム間に、およびいくつかのメモリデバイスにわたって、分散され得る。同様に、オペレーショナルデータは、本明細書内ではコンポーネント内で識別および例証され得、任意の好適な形態で埋め込まれ、任意の好適な種類のデータ構造内で構造化され得る。オペレーショナルデータは、単一データセットとして収集され得るか、または異なる記憶デバイスにわたってなど、異なる場所にわたって分散され得、少なくとも部分的には、単にシステムまたはネットワーク上の電子信号として存在し得る。所望の機能を実行するために操作可能なエージェントなど、コンポーネントは、パッシブまたはアクティブであり得る。
【００７５】
本明細書全体にわたる「実施例」への言及は、その実施例に関連して記載される特定の機能、構造、または特徴が、本開示の少なくとも１つの実施形態に含まれることを意味する。故に、本明細書全体にわたる様々な箇所での「実施例では」というフレーズの出現は、必ずしもすべてが同じ実施形態を言及しているわけではない。
【００７６】
本明細書で使用される場合、複数のアイテム、構造的要素、複合的要素、および／または材料は、便宜上、共通リスト内に提示され得る。しかしながら、これらのリストは、リストの各項目が別個かつ固有の項目として個別に識別されるかのように解釈されるべきである。故に、そのようなリストの個別の項目のいずれも、別段の記載なしに共通グループ内でのその提示だけに基づいて同じリストの任意の他の項目の事実上の等価物として解釈されるべきではない。加えて、本開示の様々な実施形態および実施例は、それらの様々なコンポーネントの代替物と一緒に本明細書内で言及され得る。そのような実施形態、実施例、および代替物は、互いの事実上の等価物として解釈されないが、本開示の別個かつ自立した表現と見なされることが理解される。
【００７７】
先述は明確性の目的のためにいくらか詳細に記載されているが、特定の変更および修正がそれらの原理を逸脱することなくなされ得ることは明らかである。本明細書に記載されるプロセスおよび装置の両方を実装する多くの代替法が存在することに留意されたい。したがって、本実施形態は、例証的であり制限的でないと見なされるものとし、本開示は、本明細書に提示される詳細に限定されることなく、添付の特許請求の範囲および等価物内で修正され得る。
【００７８】
本実施形態は、例証の目的のため、特にＬＴＥシステムに即して記載されている。同様の実施形態が、様々な他の無線通信システムに実装され得る。例えば、無線通信システムは、ＰＤＣＣＨ以外の制御チャネルおよび／もしくは制御ブロック、ｅＮＢ以外の送信機および／もしくは基地局、ならびに／またはＵＥ以外の受信機および／もしくは通信デバイスを含み得る。他の無線通信システムに適合するための修正は、当業者にとっては明らかである。
【００７９】
当業者は、本開示の基本原理から逸脱することなく多くの変更が上に記載された実施形態の詳細になされ得ることを理解するものとする。したがって、本出願の範囲は、以下の特許請求の範囲のみによって決定されるべきである。
【図１】
0006415695.tif 000002
【図２】
0006415695.tif 000003
【図３】
0006415695.tif 000004
【図４】
0006415695.tif 000005
【図５】
0006415695.tif 000006
【図６】
0006415695.tif 000007
【図７】
0006415695.tif 000008